(57)【要約】【課題】戸棚の折畳みと展開の機構の提供。【解決手段】一つの枠体、一枚の天板、一枚の底板、二枚の側板、及び一枚の背板等を含む組立てで構成される戸棚の折畳みと展開の機構である。その改良は本枠体による板体の骨組みの内側周縁は、移動ピン及び周縁に天板、底板、二枚の側板を有する連結板縁を介して相互に連結枢着して、四つの周縁に押し板セットが設けられた固定板縁を有する移動背板に合わせて、板体を速めに枠体と一体に折り畳ませることにある。各板体が簡単に広げてから、各板体の板縁が相互に噛み合う設計によって、美しい外観と穏やかな戸棚を組み合って実用効果が達成するもの。【選択図】図１
2007151755.tif 000002
【特許請求の範囲】
【請求項１】
戸棚の折畳み組立であって、下記の構成が含み、
枠体は、方形の板体骨組みとなって、板体骨組みの内側の周縁は、接合部と接合縁を有する接合が折り曲がって形成される、
天板は、板体周縁が折り辺を有する板縁を折曲げられた、板体の一側板縁は当該移動ピンが枠体下方に枢着する接合部により、近傍側の板縁に向下する複数の波状な突出部が設けられて、枠体の板体端に対応して、枢着板縁を形成する、
底板は、天板に対応して、周縁が折り辺を有する板縁を折曲げられた、板体の一側板縁は当該移動ピンが枠体下方に枢着する接合部により、枠体の板体端に対応する板体端縁に枢着板縁を形成する、
二枚の側板は、板体周縁が折り辺を有する板縁を折曲形成して、一端の板縁は、移動ピンがそれぞれ枠体両側の接合縁に連結枢着することを介して、且つ板縁は突出部に貫通孔が設けられた天板に対応して、尚、板体端縁に対応する枠体は、Ｌ型開口の接合縁を折曲形成される、
背板は、枠体に対応して、当該背板内部の上方は内側へ嵌槽板縁を折曲形成されて、そして、他の側の三周縁は内側へＬ型の凹部の固定板縁を折曲形成される、
上記の組立を介して、枠体、天板、底板及び二枚の側板の間は移動ピンが相互に枢着接合することを介して、底板の枢着板縁は背板の固定板縁と接合枢着できて、当該二枚の側板の接合縁、天板の枢着板縁は、背板の嵌槽板縁及び固定板縁と枢着接合して、天板に固定された突出部を二枚の側板板縁の貫通孔に挿通固定させて、板体の間は相互に速めに固定接合することと折り畳むことができる、戸棚の折畳みと展開の機構を形成する。
【請求項２】
当該背板板体の両側は二枚の側板の側板縁に対応する位置に、内側へ凸出する固定部が設けられて、二枚の側板を組み合う時、固定不動することを特徴とする請求項１に記載の戸棚の折畳みと展開の機構。
【請求項３】
当該背板の嵌槽板縁及び天板の固定板縁と枢着接合する位置にボルトで相互に挿して固定することができることを特徴とする請求項１に記載の戸棚の折畳みと展開の機構。
【請求項４】
当該天板の周縁にかかる折曲げられた枢着板縁の凹部には、向下する複数の波状な押し部の突出部が設けられて、且つ背板上方の嵌槽板縁は複数の貫通孔に対応して、そして速めに穏やかに固定させることを特徴とする請求項１に記載の戸棚の折畳みと展開の機構。
【請求項５】
当該突出部の固定部はその断面が波状な応力結構に呈することができ、側面応力の支え強度を増えることを特徴とする請求項１に記載の戸棚の折畳みと展開の機構。
【発明の詳細な説明】
【技術分野】
【０００１】
本発明は、戸棚に関することであって、特に戸棚の連結板体が、速めに組み立てと折畳みにかかる収納する効果を備えて、当該戸棚は容易に製造して便利に折り畳むことと広げることができて、または使用安全の功能を有する戸棚の構成を指す。
【背景技術】
【０００２】
現在、よく見られた戸棚の枠体型は様々あって、全体的に言って、当該枠体は、骨組みと折り曲げられた金属枠体板を介して相互に組み合って溶接することによって、収納空間を有する金属枠体構造を形成する。しかしながら、溶接することで連結された枠体は、体積が大きくて重くて、且つ分解することができなくて、枠体の保管と運びとも不便を感じる。従って、ある業者は図９、図１０に示すような折畳みの戸棚を開発していた。当該戸棚は主に枠体、二枚の側面板、一枚の背面板、二枚の扉板、一枚の天板、一枚の底板及び棚等を含む組立で組み合われた。その内、当該天板、底板は板体の中央にピボット部品を介して折り曲げられる板体と枢着して、且つ板体の周縁側にそれぞれ枢着装置が設けられて、それは枠体と背面板と連結固定する。尚、天板、底板に設けられた折り曲げられる板体に対応する二枚の側面板の両側縁にそれぞれ向上するＬ字状の嵌め板が設けれて、側面板は当該嵌め板、に対応する位置に上下の貫通孔が設けられて、当該側面板が広げられたらちゃんと相互に枢着固定するため、折り畳むことができる。
【発明の開示】
【発明が解決しようとする課題】
【０００３】
ただし、当該従来の戸棚の天板と底板にかかる板体は、相対の折り曲げられる板体で、ピボット部品を介して相互に連結固定して、且つ板体縁側は枢着装置の必要があるため、背面板に枢着固定する状態となれる。尚、天板と底板は、板体縁側に嵌め板が設けられることによって、側面板に枢着固定することできるため、全体の製作と組み合うに時間がかかって不便となる。且つ、天板と底板は、折り曲げられる板体に対応して枢着したので、戸棚の天板の表面に接合線が有して、また当該嵌め板は枠体の外側に露出して、側部の天板端に突出部の接合が有することを形成したため、全体視覚の美観性を影響して、且つ折り畳む時、凸出の嵌め板が背面板と側面板に当接して折畳みの制限を形成して、したがって、従来戸棚の折畳みの方法は経済効果に期待できないとも言える。
【０００４】
本発明は戸棚の折畳みと展開の機構を提供して、本枠体による板体の骨組みの内側周縁は、移動ピン及び周縁に天板、底板、二枚の側板相互に連結枢着して、天板、底板、二枚の側板の板体画外側に相互に押すことができる板縁構成が設けられて、そして背板と相互に枢着連結することで、戸棚の枠体構成を組み合う。
【０００５】
本発明にかかる戸棚の折畳み組立は、簡単に穏やかな組み合わせ及び折畳みの構成を提供するだけではなくて、且つ各板体接合の板縁は相互に押しえて設けられて、全体板体の外側に露出しないので、もっと視覚の美観性をもたらして折畳みに便利となって使用安全性にも多機能を有する戸棚となれる。
【課題を解決するための手段】
【０００６】
請求項１の発明は、戸棚の折畳み組立であって、下記の構成が含み、
枠体は、方形の板体骨組みとなって、板体骨組みの内側の周縁は、接合部と接合縁を有する接合が折り曲がって形成される、
天板は、板体周縁が折り辺を有する板縁を折曲げられた、板体の一側板縁は当該移動ピンが枠体下方に枢着する接合部により、近傍側の板縁に向下する複数の波状な突出部が設けられて、枠体の板体端に対応して、枢着板縁を形成する、
底板は、天板に対応して、周縁が折り辺を有する板縁を折曲げられた、板体の一側板縁は当該移動ピンが枠体下方に枢着する接合部により、枠体の板体端に対応する板体端縁に枢着板縁を形成する、
二枚の側板は、板体周縁が折り辺を有する板縁を折曲形成して、一端の板縁は、移動ピンがそれぞれ枠体両側の接合縁に連結枢着することを介して、且つ板縁は突出部に貫通孔が設けられた天板に対応して、尚、板体端縁に対応する枠体は、Ｌ型開口の接合縁を折曲形成される、
背板は、枠体に対応して、当該背板内部の上方は内側へ嵌槽板縁を折曲形成されて、そして、他の側の三周縁は内側へＬ型の凹部の固定板縁を折曲形成される、
上記の組立を介して、枠体、天板、底板及び二枚の側板の間は移動ピンが相互に枢着接合することを介して、底板の枢着板縁は背板の固定板縁と接合枢着できて、当該二枚の側板の接合縁、天板の枢着板縁は、背板の嵌槽板縁及び固定板縁と枢着接合して、天板に固定された突出部を二枚の側板板縁の貫通孔に挿通固定させて、板体の間は相互に速めに固定接合することと折り畳むことができる、戸棚の折畳みと展開の機構を形成する。
請求項２の発明は、当該背板板体の両側は二枚の側板の側板縁に対応する位置に、内側へ凸出する固定部が設けられて、二枚の側板を組み合う時、固定不動することを特徴とする請求項１に記載の戸棚の折畳みと展開の機構としている。
請求項３の発明は、当該背板の嵌槽板縁及び天板の固定板縁と枢着接合する位置にボルトで相互に挿して固定することができることを特徴とする請求項１に記載の戸棚の折畳みと展開の機構としている。
請求項４の発明は、当該天板の周縁にかかる折曲がれた枢着板縁の凹部には、向下する複数の波状な押し部の突出部が設けられて、且つ背板上方の嵌槽板縁は複数の貫通孔に対応して、そして速めに穏やかのよう固定させることを特徴とする請求項１に記載の戸棚の折畳みと展開の機構としている。
請求項５の発明は、当該突出部の固定部はその断面が波状な応力結構に呈することができ、側面応力の支え強度を増えることを特徴とする請求項１に記載の戸棚の折畳みと展開の機構としている。
【発明の効果】
【０００７】
（１）簡単な連結と穏やかな組み立てを有する：本発明の枠体は各板体と自由に枢着して、突出部と板縁の間の相対な固定構成に合わせて、戸棚の組立は穏やかで活用となる。
（２）容易に分解することと運ぶことができる：本発明は簡単の板縁固定連結と板体の回動連結の方式を採用するため、板体を相互に畳み合ってから、もっと体積が小さな収納空間を形成して、使用者に簡単に枠体を置くと運ぶ効果がある。
（３）生産利益に符合する：本発明は枠体が枢着する板体に対応する間に移動ピンの相互枢着回動を採用して、且つに一体化をされて対応する板縁に枢着するため、伝統的な枢着装置のような溶接固定の生産コストを有効に節約して、生産利益を上げる。
（４）美観性と使用に安全性を有する：本発明は相互に畳む板体が順番に展開して、背板と各板体の枢着固定に合わせるため、枠体の組み立ての完成後、美しい外観と使用の安全性がある。
【発明を実施するための最良の形態】
【０００８】
図１、図２を参照して、それは本発明にかかる戸棚の折畳み組立の好ましい実施形態であって、当該戸棚の基本構成は従来の技術と大体同じで、主に一つの枠体１０、一枚の天板２０、一枚の底板３０、二枚の側板４０、一枚の背板５０及び一枚の扉板７０等を含む構造部品で構成される。本発明の主な改良は、
【０００９】
当該枠体１０は、方形の板体骨組みとなって、その板体骨組みの内側の周縁は折り曲がって伸び、接合部１１と接合縁１２を有する接合を形成し、移動ピン６０に対応して固定する。  
【００１０】
当該天板２０は、板体の一側板縁２１に複数の移動ピン６０が設けられて、枠体１０の接合部１１と連結枢着して、近傍側の折曲がった二枚板縁２１凹部に向下する複数の波状な押し部２２１の突出部２２が設けられて、また、枠体１０に対応する板体端に、内部へ三回に折り曲がってクリップを有する枢着板縁２３を形成する。
【００１１】
当該底板３０は、天板２０に対応して、板体の一側板縁３１に複数の移動ピン６０が設けられて、枠体１０の接合部１１と連結枢着して、尚、相対端の板体に内部へ三回に折り曲がって枢着板縁３２を備える。
【００１２】
当該二枚の側板４０は、板体周縁にそれぞれ折り辺を有する板縁４１が折曲げられた、当該板縁４１に、複数の移動ピン６０が設けられて、枠体１０の接合縁１２と連結枢着して、且つ板縁４１は突出部２２が設けられた位置に貫通孔４２を有する天板２０に対応して、尚、枠体１０の板体端に枢着部４３が折曲げられた、板縁４１と枢着部４３の間に接合縁４４が形成される。
【００１３】
当該背板５０は、枠体１０に対応して、一側の周縁に四回に折曲げられた内側へ固定する嵌槽板縁５１が、天板２０の枢着板縁２３に固定連結することを提供して、他の側三周縁は内側へＬ型の凹部の固定板縁５２を二回に折曲げられた、そして板体二側の近傍の固定板縁５２に、突出したの固定部５３が設けられた。
【００１４】
本発明構成の特徴、運用の技術手段、使用方式及び期待された効果を下記のように説明する。
【００１５】
図１３、１４、１５は本発明の第５実施例の正面図、側面図、底面図である。図示されるように、この実施例の上述の第４実施例との違いは、この実施例の伝送線１２と第１アンテナ２０のフィード素子２４が第２回路板１６に共同構成され、同様に伝送線１３もまた第２アンテナ３０のフィード素子３４と第１回路板１５に共同構成され、こうしてアンテナモジュールの製造が更に効率的に行えるものとされている。
【００１６】
図３〜図７を合わせて参考して、図３〜図７は本発明にかかる戸棚の各板体の折畳む状態を示す断面図である。本発明にかかる戸棚の扉板７０は、枠体１０の骨組みに取り付けられて、当該二枚の側板４０は移動ピン６０及び枠体１０の両側の接合縁１２を介して相互に接合枢着して、当該天板２０と底板３０は、それぞれ移動ピン６０及び枠体１０の上下接合部１１を介して相互に接合枢着して、二枚の側板４０、天板２０と底板３０を回転して枠体１０の一端に折り畳まれて、背板５０を天板２０と底板３０に折り畳まれて、そして、戸棚の折畳みの状態を形成される（図３に示すよう）。本発明にかかる戸棚は各板体が展開する時、順番に底板３０を枠体１０から外側へ展開して、背板５０にかかるＬ型凹部の固定板縁５２を底板３０の底側折曲がった枢着板縁３２に対応させて、その枢着板縁３２をちゃんと背板５０の固定板縁５２に固定させて（図４に示すように）、そして、天板２０をだんだん上へ広げて、二枚の側板４０を、移動ピン６０により枠体１０の接合縁１２を回動軸として外側へ回転させ広げて、当該側板４０の接合縁４４及び背板５０の両側の曲がった固定板縁５２をロックキーに形成して、そして背板５０の固定板縁５２の底端の曲がった縁５２１は、ぴったり枢着部４３に嵌められ、穏やかに固定構成を形成する。且つ、二枚の側板４０の接合縁４４は、背板５０の固定板縁５２に枢着してから、該当板縁４１の底端曲がった縁４１１は、ぴったり背板５０の板体による内側へ凸出する固定部５３と固定不動する効果を生じる（図５に示すように）。最後に、天板２０を下方へ回動して、設けられた突出部２２の押し部２２１を二枚の側板４０の板縁４１の貫通孔４２に挿入固定させて、板縁４１を天板２０の板縁２１とぴったり相互に貼り合って、同時に天板２０の外側縁の枢着板縁２３は、背板５０上方の嵌槽板縁５１に枢着して、全体の組み立てを完成できて（図６に示すように）、各板体間が相互に枢着連接して戸棚の機構を形成する。
【００１７】
ただし、本発明でも天板２０の枢着板縁２３による底端曲がった縁の適当な位置に穿孔２４が設けられて、背板５０の嵌槽板縁５１による底端曲がった縁の適当な位置に天板２０の枢着板縁２３の穿孔２４に対応し、穿孔５４が設けられて、天板２０の外側縁の枢着板縁２３を背板５０上方の嵌槽板縁５１に枢着させてから、天板２０の枢着板縁２３と背板５０の嵌槽板縁５１に対応する穿孔２４、５４間に、ボルト５１１を介してロックキーをして（図７に示すように）、枢着連接する効果が達する。
【００１８】
また、本発明は、天板２０の上周縁折曲った枢着板縁２３の凹部に向下する複数の波状な押し部２２１による突出部２２が設けられて、背板５０上方の嵌槽板縁５１は複数貫孔５５に対応して、設けられた押し部２２１を背板５０上方の嵌槽板縁５１の貫孔５５に挿入固定させて（図８に示すように）、簡単で速めに固定できる組み立ての効果が達成する。
【００１９】
最後に、本発明の優点及び達することができる効果は下記の如く、
（１）簡単な連結と穏やかな組み立てを有する：本発明の枠体は各板体と自由に枢着して、突出部と板縁の間の相対な固定構成に合わせて、戸棚の組立は穏やかで活用となる。
（２）容易に分解することと運ぶことができる：本発明は簡単の板縁固定連結と板体の回動連結の方式を採用するため、板体を相互に畳み合ってから、もっと体積が小さな収納空間を形成して、使用者に簡単に枠体を置くと運ぶ効果がある。
（３）生産利益に符合する：本発明は枠体が枢着する板体に対応する間に移動ピンの相互枢着回動を採用して、且つに一体化をされて対応する板縁に枢着するため、伝統的な枢着装置のような溶接固定の生産コストを有効に節約して、生産利益を上げる。
（４）美観性と使用に安全性を有する：本発明は相互に畳む板体が順番に展開して、背板と各板体の枢着固定に合わせるため、枠体の組み立ての完成後、美しい外観と使用の安全性がある。
【図面の簡単な説明】
【００２０】
【図１】本発明にかかる戸棚の組み立てを示す外観図である。
【図２】本発明にかかる戸棚を示す立体分解図である。
【図３】本発明にかかる戸棚の折畳む状態を示す断面図である。
【図４】本発明にかかる戸棚の枠体が、天板、底板、及び背板との連結作動を示す側方断面図である。
【図５】本発明にかかる戸棚の枠体が、二枚の側板、底板、及び背板との連結作動を示す上方断面図である。
【図６】本発明にかかる戸棚の天板が、側板、及び背板との連結作動を示す立体図である。
【図７】本発明にかかる全戸棚の板体の組み立てを示す断面図である。
【図８】本発明にかかるの天板と背板が他の連結固定の実施例図である。
【図９】従来の折畳みの戸棚にかかる組み立ての外観を示す図である。
【図１０】従来の折畳みの戸棚にかかる折畳む状態の組み立てを示す断面図である。
【符号の説明】
【００２１】
１０  枠体              １１  接合部
１２  接合縁            ２０  天板
２１  板縁              ２２  凸部
２２１  押し部          ２３  枢着板縁
２４  穿孔              ３０  底板
３１  板縁              ３２  枢着板縁
４０  側板              ４１  板縁
４１１  曲がった縁      ４２  貫通孔
４３  枢着部            ４４  接合縁
５０  背板              ５１  嵌槽板縁
５１１  ボルト          ５２  固定板縁
５２１  曲がった縁      ５３  固定部
５４  穿孔              ５５  貫孔
６０  移動ピン          ７０  扉板
８０  戸棚              ８１  枠体
８２  側面板            ８２１  貫通孔
８３  背面板            ８４  扉板
８５  天板              ８５１  嵌め板
８６  底板              ８６１  嵌め板
８７  隔板              ８８  ピボット部品
８９  枢着装置
【図１】
2007151755.tif 000003
【図２】
2007151755.tif 000004
【図３】
2007151755.tif 000005
【図４】
2007151755.tif 000006
【図５】
2007151755.tif 000007
【図６】
2007151755.tif 000008
【図７】
2007151755.tif 000009
【図８】
2007151755.tif 000010
【図９】
2007151755.tif 000011
【図１０】
2007151755.tif 000012